(57)【要約】      （修正有）【課題】衝撃緩和機能と高い操作性とを備えた運動用手袋を提供する。【解決手段】左右一対の手袋１０の少なくともいずれか一方の手袋において、人差指と小指を収納する指部１８，２４の先端を開放させた。更に手袋に手を差し入れたとき、人差指と小指以外の指は手袋に覆われ、人差指と小指は、先端が手袋から露出されるように、これら指部の指の付け根から先端までの長さを設定した。また、人差指と小指を収納する指部の少なくとも一方の開口端に、摘み部３４，３６を設けた。【選択図】図１
0003158538.tif 000002
【実用新案登録請求の範囲】
【請求項１】
左右一対の手袋の少なくともいずれか一方の手袋の人差指と小指を収納する各指部の先端を開放させるとともに、前記人差指と小指を収納する各指部の指の付け根から先端までの長さを所定の長さに設定し、
前記手袋を手に装着したとき、該手の人差指と小指以外の指は前記手袋に覆われる一方、前記手の人差指と小指は、少なくとも各指の第一関節から先端まで前記指部から露出されることを特徴とした運動用手袋。
【請求項２】
前記人差指と小指を収納する各指部の少なくとも一方の指部の先端に形成された開口端に、摘み部を設けたことを特徴とする請求項１に記載の運動用手袋。
【請求項３】
前記摘み部は、前記手袋を手に装着した際、前記人差指および小指の腹を避けて位置するように設けられていることを特徴とする請求項１または２に記載の運動用手袋。
【請求項４】
前記手袋に衝撃吸収用パッドを、該手袋に手を装着した際、前記手の小指球、および該手の掌面で、該手の小指および薬指の付け根の近傍に対応する部位に設けたことを特徴とする請求項１から３のいずれか１項に記載の運動用手袋。
【考案の詳細な説明】
【技術分野】
【０００１】
本考案は、野球やゴルフなどの運動時に用いられる運動用手袋に関する。
【背景技術】
【０００２】
野球やゴルフなどのスポーツを行う場合に、手への衝撃を緩和させたり、汗で手の表面が滑らないようにするため手袋を装着することがある。例えば、野球のバットやゴルフのクラブを振る際に、いずれかの手に手袋を装着した上でバットなどを握ったり、薄い手袋を装着して、その上に野球のグラブを嵌めることがある。
【０００３】
ところが手袋を装着すると、手とグラブやバットなどとの間に手袋の素材が介在し、バットなどを握ったときの感覚や感触が変化するという問題があった。そこで従来は、手袋の各指部の先端を開放し、手袋を手に装着した際、手指の第２関節当たりから指の先端までが、露出されるようにした手袋が知られている。
【先行技術文献】
【特許文献】
【０００４】
【特許文献１】特開平１１−２９９９５７号公報
【考案の概要】
【考案が解決しようとする課題】
【０００５】
しかしながら、手袋を装着した状態ですべての指の指先を手袋から露出させてしまうと、手指に加えられる衝撃を緩和させるという緩衝機能が低下する。特に、野球の捕球動作においては、打球などを捕捉した際、中指と薬指に大きな衝撃が加えられることが知られている。
【０００６】
また考案者らは、バットなど棒状の物を手で握るという動作において、特に手の人差指と小指が重要な役割を果たしていることに着目した。例えば野球などにおいては、バットのスイングを開始させてから、バットの芯で球を捕らえるようにバットの動きを微妙に変化させたり、球を打ってからのバックスイングで良好にする上において、特に人差指や小指での力の入れ方が重要な要件となっていることに気がついた。
【０００７】
本考案は、上記課題を解決し、手袋において手に加わる衝撃を緩和させる機能を保持するとともに、握った指先の感覚を低下させたり、手からの力の伝達を鈍化させることのない運動用手袋を提供することを目的とする。
【課題を解決するための手段】
【０００８】
上記の課題を解決するために、本考案は、次のように手袋を構成した。左右一対の手袋の少なくともいずれか一方の手袋の人差指と小指を収納する指部の先端を開放させるとともに、指の付け根から先端までの長さを所定の長さに設定し、手袋を手に装着したとき、手の人差指と小指が手袋から露出され、他の指は手袋に覆われることとした。
【０００９】
また、人差指と小指を収納する指部の少なくとも一方に摘み部を設けることした。
【考案の効果】
【００１０】
本考案にかかる手袋は、手に装着すると、手袋で手全体が覆われるとともに人差指と小指の先端部分が、手袋から露出する。そのため、野球のバットやゴルフのクラブを握ったり、野球のグラブを手に嵌めたりしたとき、人差指と小指の先端部分が直接バットなどに接触する。これにより、これらの指にバットやグラブの感触が直接伝達され、バットなどからの反力などを敏感に感じることができる。また、これらの指の動きが直接バットなどに伝達でき、所望の動作が可能となる。
【００１１】
摘み部を、他方の手で摘んで引くことにより、先端が開放された人差指や小指の指部をそれらの指から抜き、手袋を手から容易に取り外すことができる。
【図面の簡単な説明】
【００１２】
【図１】本考案にかかる手袋の一実施形態を示す正面図である。
【図２】同手袋の掌面を示す背面図である。
【図３】同手袋を手に装着した状態を示す図である。
【図４】本考案にかかる手袋の他の実施形態を示す背面図である。
【図５】同手袋の使用例を示す斜視図である。
【図６】同手袋の他の使用例を示す斜視図である。
【考案を実施するための形態】
【００１３】
本考案にかかる運動用手袋の一実施の形態について、図を用いて説明する。
【００１４】
図１、図２に、手袋１０を示す。図に示す手袋１０は左手用であり、甲部１２、掌部１４（図２参照。）、親指部１６、人差指部１８、中指部２０、薬指部２２、小指部２４、手首部２６などから構成されている。手袋１０の材質は、布であるが、他の素材であってもよい。
【００１５】
甲部１２および掌部１４は、手首部２６から左手を差し入れると、手の甲と掌の各部位に対応するように形成されている。また親指部１６、人差指部１８、中指部２０、薬指部２２、小指部２４の各部は、手首部２６から左手を差し入れると、手の各指が、それぞれ対応する指部に挿入されるように、筒状に形成されている。
【００１６】
更に手袋１０の親指部１６と中指部２０と薬指部２２は、図に示すように先端が閉じた状態で、かつそれら親指部１６等に手の各指を挿入すると、図３に示すように各部の内部で指が十分に伸び、かつ各部の先端に余りが大きく生じることのない長さに形成されている。
【００１７】
そして、人差指部１８と小指部２４は、先端部１８ａおよび先端部２４ａが開放されており、かつ各指の付け根の部分から先端部１８ａ、や先端部２４ａまでの長さが、人差指と小指の長さより短く形成されている。具体的には、人差指部１８と小指部２４は、手袋１０を手に装着すると、手の人差指と小指のほぼ第１関節から指先までの部分が、図３に示すように手袋１０から露出する長さとなっている。
【００１８】
また、先端部１８ａおよび先端部２４ａには、補強部３０、３２と、摘み部３４、３６が設けられている。補強部３０および補強部３２は、先端部１８ａと先端部２４ａのそれぞれの開口端に帯状の部材を、周状に縫い付けて形成されている。補強部３０等は、手袋１０の素材と同一でも、他の素材から形成してもよい。尚先端部１８ａは、補強部３０等を設けず、切断しただけであってもよい。
【００１９】
摘み部３４および３６は環状部材で、先端部１８ａと先端部２４ａのそれぞれの開口端に取り付けられている。摘み部３４は、先端部１８ａの親指部１６側の側面に設けてあり、摘み部３６は、先端部２４ａの薬指部２２と逆側の側面に設けてある。尚これら摘み部３４および３６は、手に手袋１０を装着した際、少なくとも、各指の腹に位置しないように取り付けられていればよい。
【００２０】
次に、手袋１０の作用、効果について説明する。
【００２１】
手首部２６の面ファスナー２８を開放させ、手袋１０の内側に左手を差し入れる。手の親指、人差指、中指、薬指、小指は、それぞれ手袋１０の親指部１６、人差指部１８、中指部２０、薬指部２２、小指部２４の内部に挿入される。すると、図３に示すように手の親指と中指と薬指は、それぞれ手袋１０の親指部１６、中指部２０、薬指部２２に覆われる。一方、手の人差指と小指は、それぞれの第一関節から先端までが手袋１０から露出された状態となる。
【００２２】
図５に、手袋１０を左手に装着して、野球用のバット５０を握った状態を示す。図に示すように左手は、手袋１０で全体が覆われた状態であるが、人差指と小指の第一関節から先の指の腹がバット５０に直接接してバット５０を握ることとなっている。これにより、バット５０の握りの感触などを人差指と小指の指先で感じることができ、しかも、微妙な力の入れ具合を、これら人差指と小指を介して調整することができる。したがって、打球時に生じる衝撃から手を保護できるとともに、バット５０を握った感覚が良好に得られ、かつ手の力をバット５０に伝達しやすくなり、正確なバットコントロールが可能となる。
【００２３】
図６に、手袋１０を野球用のグラブ６０を嵌める場合に用いた例を示す。グラブ６０は、野手用のグラブである。この例では、左手に手袋１０を装着した上で、グラブ６０を左手に嵌めている。すると、図に示すように手の親指と中指と薬指は、それぞれ手袋１０の親指部１６、中指部２０、薬指部２２に覆われているので、捕球時の衝撃が緩和される。一方、手の人差指と小指の指先の腹は、手袋１０から露出されているので、グラブ６０の感覚と捕球時の球の感覚が直に指先に伝わるので、確実な捕球と、捕球に続く送球を円滑に行うことが可能となる。
【００２４】
更に、ゴルフのクラブ（図示せず。）を握る場合に、手袋１０を手に装着してもよい。すると、上述したバット５０の場合と同様、打球時の衝撃が緩和されるとともに、クラブに力が伝達しやすくなり、クラブを正確にコントロールすることができる。
【００２５】
また、手袋１０を手に装着した状態で、摘み部３４や３６を右手で摘んで引くことにより、人差指部１８や小指部２４を各指から抜くことができる。これにより、手袋１０が汗で濡れているときでも手袋１０が裏返しなどになることなく手から容易に取り外すことができる。
【００２６】
図４に本考案にかかる運動用手袋の他の例を示す。図に示す手袋１１は、基本的に手袋１０と同一であり、異なる点としては手袋１０の掌部１４に、衝撃吸収パット４０、および４２が設けられていることである。手袋１０と同一の部分は、説明を省略する。衝撃吸収パット４０は、ほぼ小指球の位置に設けてあり、衝撃吸収パット４２は、薬指部２２および小指部２４の付け根付近に設けられている。衝撃吸収パット４０等は、薄片状の弾性部材からなり、適度な弾性力と、衝撃吸収機能を備えている。尚、衝撃吸収パット４０等は、運動の種目や使用状態等に応じて適宜その形状や取り付け位置等を変更してもよい。
【００２７】
手袋１１は、衝撃吸収パット４０等が手袋１１の所定の位置に設けられていることから、指先での感覚を良好にし、かつより高い衝撃吸収機能と握り易さとを備えている。特に、小指部２４側の手の端縁に沿って衝撃吸収パット４０等が設けられているので、手袋１１の小指側の厚みを厚くし、小指側でバット５０などを強く握ることができる。
【００２８】
例えばバットをグリップエンドから間隔をあけた位置で握るなど、いわゆるバットを短く持つと、グリップエンドでの掛かりがなくなり、しかもバットのグリップ部はバット先端より手前の方が細く形成されているので、手からバットが抜けやすくなる。しかしながら、手袋１１は、衝撃吸収パット４０等が小指部２４側に設けられているので、小指側での把持力が増大し、年少者など握力が小さい者でも、バットをしっかり握りスイングさせることができる。
【００２９】
尚上記例では、左手に手袋１０等を装着することとしたが、本考案はこれに限るものではない。利き腕が異なるときは逆の手に装着してもよく、また、各自の状態に応じて逆の手や両手にしてもよい。また両手に手袋を装着する場合、いずれか一方の手袋を本考案にかかる手袋としてもよい。
【００３０】
また、上記例では人差指と小指の各指部の先端を開放し、手の人差指と小指を手袋１０等から露出させることとしたが、運動の種目や使用状態等に応じて、人差指と小指以外の指を適宜手袋から露出させるようにしてもよい。その際、２本の指部を選択することが好ましい。更に、手袋１０等から露出させる範囲も、各指の第一関節から先端に限るものではない。
【産業上の利用可能性】
【００３１】
本考案は、運動時に使用される手袋に用いることができる。
【符号の説明】
【００３２】
１０、１１…手袋
１２…甲部
１４…掌部
１６…親指部
１８…人差指部
１８ａ…先端部
２０…中指部
２２…薬指部
２４…小指部
２４ａ…先端部
３４、３６…摘み部
４０、４２…衝撃吸収パット
５０…バット
６０…グラブ
【図１】
0003158538.tif 000003
【図２】
0003158538.tif 000004
【図３】
0003158538.tif 000005
【図４】
0003158538.tif 000006
【図５】
0003158538.tif 000007
【図６】
0003158538.tif 000008
【手続補正書】
【提出日】平成22年2月2日(2010.2.2)
【手続補正１】
【補正対象書類名】実用新案登録請求の範囲
【補正対象項目名】請求項３
【補正方法】変更
【補正の内容】
【請求項３】
前記摘み部は、前記手袋を手に装着した際、前記人差指および小指の腹を避けて位置するように設けられていることを特徴とする請求項２に記載の運動用手袋。
【手続補正２】
【補正対象書類名】実用新案登録請求の範囲
【補正対象項目名】請求項４
【補正方法】変更
【補正の内容】
【請求項４】
前記手袋に衝撃吸収用パッドを、該手袋を手に装着した際、前記手の小指球、および該手の掌面で、該手の小指および薬指の付け根の近傍に対応する部位に設けたことを特徴とする請求項１から３のいずれか１項に記載の運動用手袋。